(57)【要約】【課題】リラックスした状態で入浴者の背中、特に肩部に対しては的確なマッサージ効果を与えることができる浴槽装置を提供する。【解決手段】浴槽と、浴槽の背側の内壁面に設けられ、表面が標準状態と標準状態よりも浴槽の内部に向けて進出した進出状態との間で変位可能な第一進出部と、第二進出部を備え、第一進出部は、浴槽の背側内壁面の上下方向に沿って二列に複数段配設され、第二進出部は、上方に設けられた第一進出部よりも外方に夫々配設されていることを特徴としたので、特に肩部に対しては的確なマッサージ効果を与えることが可能になる。【選択図】図６
2008237308.tif 000002
【特許請求の範囲】
【請求項１】
浴槽と、
前記浴槽の背側の内壁面に設けられ、
表面が標準状態と前記標準状態よりも前記浴槽の内部に向けて進出した進出状態との間で変位可能な第一進出部と、第ニ進出部とを備え、前記第一進出部は、前記浴槽の背側内壁面の上下方向に沿って２列に複数段配設され、
前記第二進出部は、上方に設けられた前記第一進出部よりも外方に夫々配設されていることを特徴とする浴槽装置。
【請求項２】
前記第二進出部は、前記２列に配設された第一進出部より外方に向かって、少なくとも２以上配設したことを特徴とする請求項１記載の浴槽装置。
【請求項３】
前記第二進出部は、前記第一進出部より進出量が多く、且つ外方に向かうに連れ進出量が増大することを特徴とする請求項１または請求項２記載の浴槽装置。
【発明の詳細な説明】
【技術分野】
【０００１】
本発明は、浴槽装置に関し、特に、入浴者にマッサージを施す浴槽装置に関する。
【背景技術】
【０００２】
近年、健康志向が高まり、入浴中に手軽にマッサージを受けたいという要望が高まっている。そこで、浴槽内で入浴者にマッサージを施す浴用マッサージ装置が開発されている。例えば、特許文献１には、浴槽内に設置する浴用マッサージ装置であって、入浴者の矢状面において背中に接触する面が凸アール面であり、この凸アール面から押し玉をエアーポンプにより突出させる装置が開示されている。特許文献１には、入浴者が浴槽内に座り、背中を凸アール面に接触させた状態で、エアーポンプを作動させて押し玉を突出させることにより、入浴者にマッサージを施すことができると記載されている。
【０００３】
特許文献１に記載された身体形状を考慮した技術は、浴槽長手方向に対して使用者の背中の湾曲を考慮したものとなっている。しかしながら、マッサージ効果が見込める指圧ポイントは、入浴者水平面において背側の内壁面に密着する肩部の領域に広がっている。
すなわち、この従来の入浴装置では、入浴者の背中、特に肩部に対しては的確なマッサージを提供することができないといった課題があった。
【０００４】
一方で特許文献２では、電気系統を使わずに水圧を用いた押し圧手段によって身体を周期的に押圧することができる。また押圧手段は、水圧を利用して身体を押圧するので、押圧手段への水の供給圧などを調節すれば、押圧手段による押圧力の調整が可能であり、良好なマッサージ効果が得られることが記載されている。
【０００５】
しかしながら、特許文献２で用いられている水圧を用いた指圧手段は、肩部へのマッサージ機が浴槽上部に設置されており、入浴者の頭部に切迫している。それによって入浴者はリラックスした状態でマッサージを受けることができない。また、特許文献２のように点で捉えるマッサージ方法では、入浴者毎の体格差に対応することが難しいといった課題が残っている。
【０００６】
【特許文献１】特開２０００−３４２６５３号公報（図１）
【特許文献２】特開２００３−１３５５４８号公報（図３２、３３）
【発明の開示】
【発明が解決しようとする課題】
【０００７】
本発明の目的は、リラックスした状態で入浴者の背中、特に肩部に対しては的確なマッサージ効果を与えることができる浴槽装置を提供することである。
【課題を解決するための手段】
【０００８】
本発明の一態様によれば、浴槽と、前記浴槽の背側の内壁面に設けられ、表面が標準状態と前記標準状態よりも前記浴槽の内部に向けて進出した進出状態との間で変位可能な第一進出部と、第二進出部を備え、前記第一進出部は、前記浴槽の背側内壁面の上下方向に沿って二列に複数段配設され、前記第二進出部は、上方に設けられた前記第一進出部よりも外方に夫々配設されていることを特徴とする浴槽装置が提供される。
【発明の効果】
【０００９】
本発明によれば、入浴者に十分なマッサージ効果を与えることができる浴槽装置を実現することができる。
【発明を実施するための最良の形態】
【００１０】
以下、図面を参照しつつ本発明の実施形態について説明する。  
先ず、本発明の第１の実施形態について説明する。  
図１は、本実施形態に係る浴槽装置を例示する模式的断面図であり、  
図３は、本実施形態に係る浴槽装置を例示する模式的断面図である。
【００１１】
図１に示すように、本実施形態に係る浴槽装置１１においては、浴槽２が設けられている。浴槽２の形状は、上方から見て略長方形であり、長手方向の両端部が背側及び足側となっている。そして、浴槽２の背側の内壁面（以下、「背側面」という）２１は、全体的には垂直方向に対して上方に開くように傾斜しつつ、連続した凹面をなしている。背側面２１の形状は、例えば、入浴者Ｍが背中を背側面２１にフィットさせたときに、背中が緩く丸まるような凹状曲面である。
【００１２】
また、浴槽２の底面２２における背側面２１側の領域には凹部２３が形成されており、その底面は凹面となっている。凹部２３の形状は、入浴者の臀部の形状に合わせた凹状曲面である。そして、例えば、背側面２１と凹部２３とは、連続した曲面を形成している。更に、底面２２における凹部２３が形成された領域以外の領域は、略水平な平坦面２４となっている。このため、浴槽２の底面２２のうち、凹部２３が形成されている領域は、それより足側の領域、すなわち、平坦面２４が形成されている領域よりも下方に位置しており、凹部２３と平坦面２４との境界部分２５は鈍角をなす曲面となっている。
【００１３】
図３に示すように、また、背側面２１には、上方の第一進出部３０ａより外方に向かって少なくとも二つ以上配設した第二進出部３０ｂが設けられている。また、第一進出部３０ａ及び第二進出部３０ｂは、浴槽２の外部に設置された駆動手段４に連結されている。駆動手段４は、第一進出部３０ａと第二進出部３０ｂを駆動するものである。
【００１４】
そして、例えば、第二進出部３０ｂの突出される突出量５１は、第一進出部３０ａの突出量５０よりも大きく、背側面２１の水平方向における第一進出部３０ａと第二進出部３０ｂの突出量５０、５１は、入浴者の身体を適切なマッサージを実現する位置まで突出する。
【００１５】
なお、本実施例では第一進出部３０ａから外方に配設された第二進出部３０ｂは、外方に向かうにつれて第二進出部３０ｂの配設数を減らしている。このようにすることで、入浴者の肩部に形成されている筋群毎に適切なマッサージを実現することができる。
【００１６】
次に、上述の如く構成された本実施形態に係る浴槽装置の動作について説明する。  
図１は、本実施形態に係る浴槽装置の動作を例示する模式的断面図である。  
先ず、図１に示すように、浴槽２内に湯Ｗを溜め、全ての進出部３を標準状態とする。そして、入浴者Ｍが浴槽２内に入り、臀部を底面２２の凹部２３内に収め、背中を背側面２１に接触させ、足裏を足側面２７に当接させて、入浴姿勢をとる。これにより、入浴者Ｍの背中は、背側面２１の凹面にフィットしてやや凸状に曲がる。
このとき、背側の第一進出部３０ａは、入浴者Ｍの背中及び腰部の筋肉（背筋）Ｒに沿った位置に位置し、第二進出部３０ｂは、上方に設けられた第一進出部３０ａよりも外方に夫々配設され、上方に設けられた第一進出部３０ａとは、浴槽２のリム近傍に位置しており入浴者Ｍの背中及び肩部の筋肉（僧帽筋）近傍を刺激する高さに配置されている。
なお、このとき、入浴者Ｍは足裏を足側面２６に当接させてもよい。
【００１７】
この状態で、駆動手段４が各進出部３の状態を、標準状態と進出状態との間で変化させる。これにより、進出状態となった各第一進出部３０ａと第二進出部３０ｂの表面は背側面２１から突出して入浴者Ｍの背中又は肩部を押圧し、標準状態となった各第一進出部３０ａと第二進出部３０ｂの表面は背側面２１と略同一平面となり、入浴者Ｍの背中及び肩部を押圧しなくなる。そして、駆動手段４が各第一進出部３０ａと第二進出部３０ｂを独立に駆動することにより、種々のモードで入浴者にマッサージを施すことができる。なお、このとき、入浴者Ｍの臀部は凹部２３によって保持されているため、背中が進出部３によって足側に向けて押圧されても、身体が足側に移動してしまうことはない。
【００１８】
次に、本実施形態の効果について説明する。  
本発明者等が調査研究した結果、人が入浴するときは、背筋を伸ばした状態よりも、むしろ緩く丸めた状態の方が、リラックスできることが判明した。本実施形態においては、浴槽２の背側面２１が垂直方向に凹面をなしているため、入浴者Ｍが背中を背側面２１に凭れさせると、入浴者Ｍの背中は、垂直方向において凹曲面を生成することとなる。すなわち、入浴者が背中を緩く丸める自然な入浴姿勢をとったときに、背側面２１の形状が入浴者Ｍの背中の形状に合致する。一方、水平方向における入浴者Ｍの背も凹曲面を生成している、そのため水平面における入浴者Ｍの背中の曲線と浴槽２の曲線に隙間Ｎが生じており、その間を埋めるように浴槽背側面２１に広く配置された第二進出部３０ｂが進出することで入浴者の身体に対して適切なマッサージを実現するすることができる。これにより、入浴姿勢も最適化され入浴者をリラックスさせることができ、入浴による温熱効果と併せて、十分なマッサージ効果を実現することができる。
【００１９】
また、本実施形態においては、浴槽２の底面２２に凹部２３が形成されているため、この凹部２３が入浴者Ｍの臀部を保持することができる。これにより、入浴者に浮力が作用しても、入浴者の背中が進出部３によって押圧されたときに、入浴者の身体が足側に移動してしまうことを防止できる。この結果、入浴者が進出部３から受けた力が逃げてしまうことがなく、十分な押圧感を伴うマッサージが可能となる。また、臀部の位置が安定するため、入浴者は、臀部を基点として腰部及び背中を背側面２１に押し付けることができると共に、上半身の角度を任意に変化させることができる。これにより、進出部３による押圧力を任意に調節することができる。
【００２０】
更に、本実施形態においては、凹部２３が形成されている領域は平坦面２４が形成されている領域よりも下方に位置しているため、凹部２３と平坦面２４との境界部分２５は鈍角をなしており、滑らかな曲面となっている。このため、境界部分２５が入浴者Ｍの足の付け根を圧迫して、入浴者に不快感を与えることがない。
【００２１】
更にまた、本実施形態においては、第一進出部３０ａが上下方向に沿って複数段に形成されているため、入浴者の背中及び腰部を全体的にマッサージすることができる。また、進出部３が背側面２１の中心線の両側に２列に配列されているため、入浴者の左右の背筋を効率的にマッサージすることができる。また、上方に設けられた第一進出部３０ａよりも外方に夫々配設されている第二進出部３０ｂが背側面２１の中心線Ｃの両側に配列され、第一進出部３０ａより第二進出部３０ｂの進出量が多く進出するため、入浴者の左右の肩部に備わる筋群を効率的にマッサージすることができる。さらに、第二進出部３０ｂは、第一進出部３０ａより外方に向かうにつれて数がへり、それによって中心線Ｃに近い第二進出部３０ｂより外方に配設された第二進出部３０ｂは入浴者Ｍの肩部に的確に先端部を位置させることができる。この第二進出部３０ｂが第一進出部３０ａより外方に展開しつつ数が減少する配列は、僧帽筋を中心とした筋群、棘下筋、三角筋、菱形、脊柱起立筋に当接することができる。これにより、むらなく入浴者の背中及び肩部の全体をマッサージすることができ、マッサージ効果が高まると共に、使用感が向上する。
【００２２】
次に、本発明の第２の実施形態について説明する。  
図３は、本実施形態に係る浴槽装置を例示する模式的断面図である。
図５は、本実施形態に係る浴槽装置を例示する斜視断面図である。
なお、図３、及び図５において、前述の第１の実施形態における図１と同じ構成要素には同じ符号を付し、その詳細な説明を省略する。後述する他の図において同様である。
【００２３】
図３に示すように、本実施形態に係る浴槽装置１１においては、前述の第１の実施形態と比較して、背側の第一進出部３０ａは、入浴者Ｍの背中及び腰部の筋肉（背筋）Ｒに沿った位置に位置し、第二進出部３０ｂは、上方に設けられた第一進出部３０ａよりも外方に夫々配設され、複数個の第二進出部３ｂを有することが異なっている。本実施形態における上記以外の構成は、前述の第１の実施形態と同様である。
【００２４】
次に、本実施形態の動作及び効果について説明する。本実施形態においては、第二進出部３０ｂは入浴者Ｍの肩部に当接し、第一進出部３０ａは入浴者Ｍの背中に当接する。そして、第一進出部３０ａの進出量より第二進出部３０ｂの進出量をより大きくすることにより、両進出部３０ａ、３０ｂが進出状態にあるときに、入浴者の水平面において背中の凹曲線に沿って両進出部３０ａ、３０ｂの先端部を位置させることができる。これにより、むらなく入浴者の背中及び肩部の全体をマッサージすることができ、マッサージ効果が高まると共に、使用感が向上する。本実施形態における上記以外の動作及び効果は、前述の第１の実施形態と同様である。
【００２５】
次に、本発明の第３の実施形態について説明する。  
図３は、本実施形態に係る浴槽装置を例示する模式的断面図である。
図４は、本実施形態に係る浴槽装置を例示する模式的断面図である。
なお、図３、図４において、前述の第１の実施形態における図１と同じ構成要素には同じ符号を付し、その詳細な説明を省略する。後述する他の図において同様である。
【００２６】
図４に示すように、本実施形態に係る浴槽装置１１においては、前述の第１の実施形態と比較して、上方に設けられた第一進出部３０ａよりも外方に夫々配設された第二進出部３０ｂが、複数個設けられ、第一進出部３０ａに隣接する第二進出部３０ｂの進出量は、中心線Ｃに沿って設けられた第一進出部３０ａの進出量よりも大きくなること、また、中心線Ｃから外方に近づくにつれて第二進出部３０ｂの進出量は大きくなることで異なっている。本実施形態における上記以外の構成は、前述の第１の実施形態と同様である。
【００２７】
なお、図３に示すように、本実施形態に係る浴槽装置１１においては、前述の第１の実施形態と比較して、上方に設けられた第一進出部３０ａよりも外方に夫々配設された第二進出部３０ｂが、複数個設けられ、第一進出部３０ａから外方に配設された第二進出部３０ｂは、外方に向かうにつれて第二進出部３０ｂの配設数が減ることで異なっている。本実施形態における上記以外の構成は、前述の第１の実施形態と同様である。
【００２８】
次に、本実施形態の動作及び効果について説明する。本実施形態においては、第一進出部３０ａの進出量より第二進出部３０ｂの進出量をより大きくすることにより、両進出部３０ａ、３０ｂが進出状態にあるときに、入浴者の水平面において背中の凹曲線に沿って両進出部３０ａ、３０ｂの先端部を位置させることができる。さらに、第二進出部３０ｂは、第一進出部３０ａより外方に向かうにつれて数が減り、それによって中心線Ｃに近い第二進出部３０ｂより外方に配設された第二進出部３０ｂは入浴者Ｍの肩部に的確に先端部を位置させることができる。この第二進出部３０ｂが第一進出部３０ａより外方に展開しつつ数が減少する配列は、僧帽筋を中心とした筋群、棘下筋、三角筋、菱形、脊柱起立筋に当接することができる。これにより、むらなく入浴者の背中及び肩部の全体をマッサージすることができ、マッサージ効果が高まると共に、使用感が向上する。本実施形態における上記以外の動作及び効果は、前述の第１の実施形態と同様である。
【００２９】
次に、前述の本発明の実施形態を具現化するための具体例について説明する。  
図２は、本具体例に係る浴槽装置を例示するブロック図であり、  
図５は、本具体例に係る浴槽装置の浴槽を例示する透過斜視図であり、  
図６は、本具体例に係る浴槽装置の進出部を例示する断面図である。  
図２に示すように、本具体例に係る浴槽装置１６においては、浴槽２、進出部３及び駆動手段４０が設けられている。
【００３０】
図５に示すように、浴槽２の形状は略直方体形状であり、その内壁面のうち、長手方向に交差する両端面の一方の面が背側面２１であり、他方の面が足側面２２である。背側面２１は、入浴者（図示せず）が入浴姿勢をとったときに背中が当接する面であり、全体的に斜め上方を向くように傾斜しつつ、凹状の曲面をなしている。背側面２１の凹状曲面は、入浴者が背中をフィットさせたときに入浴者の背中が緩く丸まるような曲面となっており、垂直断面における曲率半径は例えば約８００ｍｍである。また、足側面２２は略垂直方向に起立している。
【００３１】
浴槽２の底面２２においては、背側面２１に接する領域に凹部２３が形成されており、底面２３における凹部２３以外の領域は平坦面２５となっている。凹部２３の底面は、凹状の曲面をなしており、平坦面２４よりも低い位置にある。凹部２３の凹状曲面は入浴者の臀部を保持するような曲面となっており、垂直断面における曲率半径は例えば約６００ｍｍである。背側面２１と凹部２３の底面とは、例えば屈曲部のない連続した曲面を形成している。また、凹部２３と平坦面２４との境界部分２５は、鈍角の屈曲部をなす滑らかな曲面となっている。
【００３２】
そして、背側面２１の上下方向に延びる中心線Ｃに沿って、複数段の第一進出部３０ａが設けられている。第一進出部３０ａは、中心線Ｃの両側に１列ずつ、合計２列設けられており、中心線Ｃに関して対称に配置されている。また、第一進出部３０ａは、各列において例えば等間隔に配列されており、中心線Ｃから例えば３０ｍｍ程度離隔している。
【００３３】
また、背側面２１において上方に設けられた第一進出部３０ａよりも外方に夫々配設されていることを特徴とした第二進出部３０ｂは、中心線Ｃに関して対称に配置されている。また、第二進出部３０ｂは、各列において肩部筋群の特徴的筋群に対応して配列されており、肩部を駆動させる筋群のみならず肩を駆動させる三角筋をも押し圧する。
【００３４】
図６に示すように、各進出部３においては、シリンダ状の保持筒体３１が設けられている。保持筒体３１は背側面２１の外面に対して水密的に連結されており、背側面２１における保持筒体３１が取り付けられた部分は開口しており、これにより、保持筒体３１の内部は浴槽２の内部に連通している。
【００３５】
また、保持筒体３１の内部には、エアバック３２が設けられている。エアバック３２は、略円筒形の蛇腹形状をなしており、内部にエアが導入されると蛇腹の配列方向に沿って伸び、内部のエアが排出されると蛇腹の配列方向に沿って縮む。すなわち、エアバック３２は、エアの流入出に伴って一方向に伸縮する。エアバック３２は、蛇腹の配列方向、すなわち伸縮方向が背側面２１に対して例えば垂直になるように配置されており、背側面２１から遠い側の端部が保持筒体３１の内面に水密的に連結されている。
【００３６】
更に、保持筒体３１の内部におけるエアバック３２よりも浴槽２側の部分には、受板３３が移動可能に設けられており、エアバック３２に当接している。そして、受板３３におけるエアバック３２の反対側の面には、突出部材３４が連結されている。突出部材３４は、例えば、硬質の樹脂材料からなる円柱形状の部材であり、受板３３に連結されていない側の先端部３４ａは丸められている。更にまた、保持筒体３１の内部における背側板２１と受板３３との間には、バネ３５が設けられており、受板３３を背側板２１から離隔する方向に付勢している。
【００３７】
一方、図２に示すように、駆動手段４０においては、ポンプ４１と、ポンプ４１と各進出部３のエアバック３２（図６参照）とを連通するエアチューブ４２と、エアチューブ４２の途中にそれぞれ設けられた切替弁４３とが設けられている。切替弁４３は例えば三方電磁弁であり、進出部３への加圧と、進出部３からのエアー排出を切り替えることが出来る。また、ポンプ４１及び切替弁４３には、これらを制御する制御部４４が接続されている。なお、図２においては、図示を簡略化するために、制御部４４は最上段の切替弁４３のみに接続されているように描かれているが、実際には、制御部４４は全ての切替弁４３を独立して制御することが可能である。
【００３８】
次に、本具体例の動作について説明する。  
ポンプ４１が作動していないときは、バネ３５が受板３３を付勢し、受板３３がエアバック３２を押圧することにより、エアバック３２は縮んだ状態にある。これにより、突出部材３４は保持筒体３１内に収納されており、進出部３は標準状態にある。そして、入浴者が浴槽２内に入り、入浴姿勢をとる。このとき、入浴者の手掌を手掌支持部４に接触させることで安定する入浴者の臀部は凹部２３内に進入し、保持される。また、背中は背側面２１に接触し、緩く曲がった状態になる。更に、足裏は足側面２６に当接する。
【００３９】
この状態で、制御部４４がポンプ４１を作動させることにより、ポンプ４１がエアチューブ４２に対してエアを供給する。そして、制御部４４が切替弁４３を操作して、ポンプ４１と各進出部３とを連通させることにより、進出部３のエアバック３２内にエアが流入し、その圧力によってエアバック３２がバネ３５の付勢力に打ち勝って膨張し、受板３３を介して突出部材３４を浴槽２の内部に向けて押し出す。この結果、進出部３は進出状態となり、突出部材３４の先端部３４ａが入浴者の背中又は腰部を押圧する。その後、制御部４４が切替弁４３を切替えて、この進出部３のエアバック３２を外部に連通させると、エアバック３２はバネ３５の付勢力によって縮み、突出部材３４は保持筒体３１内に収納される。これにより、進出部３は標準状態に戻る。この動作を繰り返すことにより、進出部３が標準状態と進出状態とを繰り返し、突出部材３４が直線往復運動する。
【００４０】
そして、制御部４４が各進出部３を独立に駆動することにより、種々のモードで入浴者にマッサージを施すことができる。例えば、制御部４４は、各進出部３の状態を周期的に変化させ、その周期を全ての進出部３で同一とし、その位相を進出部３間で相互に異ならせてもよい。一例では、制御部４４は、同一の段に配置された一対の進出部３を同位相で駆動しつつ、最上段の進出部３から下方の進出部３に向かって少しずつ位相を遅らせながら駆動する。これにより、入浴者は、背筋を肩から腰にかけて揉み下ろされるようなマッサージ感を得ることができる。
【００４１】
次に、本具体例の効果について説明する。  
本具体例によれば、浴槽の内部に電気部品を配置することなく、前述の第１の実施形態に係る浴槽装置を構成することができる。これにより、漏電及び感電に対する対策並びに湯による電気部品の腐食に対する対策などが不要になり、低コストで信頼性が高い浴槽装置を実現することができる。本具体例における上記以外の効果は、前述の第１の実施形態と同様である。
【００４２】
なお、本具体例においては、前述の第２の実施形態のように、最下段の進出部の進出量を最上段の進出部の進出量よりも大きくしてもよい。また、前述の第３の実施形態のように、少なくとも１つの進出部の進出方向を、背側面に垂直な方向に対して下方に傾斜させてもよい。更に、エアバック３２内には、空気以外の流体、すなわち、気体又は液体を供給してもよい。更にまた、本具体例においては、浴槽２の底面２２に排水口を設けず、凹部２３の底部に排水口を設けてもよい。
【００４３】
更にまた、本具体例において、浴槽２のリム上であって背側面２１の略延長面上にヘッドレストを設けてもよい。このようなヘッドレストは、例えば防水性のクッション材により形成し、浴槽２に対して一定の範囲内で移動可能としてもよく、浴槽２に対して着脱可能としてもよい。
【図面の簡単な説明】
【００４４】
【図１】本発明の第１の実施形態に係る浴槽装置を例示する模式的断面図である。
【図２】本発明の具体例に係る浴槽装置を例示するブロック図である。
【図３】本発明の第１の実施形態に係る浴槽装置を例示する模式的断面図である。
【図４】本実施形態に係る浴槽装置の動作を例示する模式的断面図である。
【図５】本実施形態に係る浴槽装置の動作を例示する模式的断面図である。
【図６】本具体例に係る浴槽装置の浴槽を例示する斜視断面図である。
【図７】本具体例に係る浴槽装置の進出部を例示する断面図である。
【符号の説明】
【００４５】
２  浴槽、２１  背側面、２２  底面、２３  凹部、２４  平坦面、２５  境界部分、２６  足側面、３  ３ａ  進出部、３０ａ  第一進出部、３０ｂ  第二進出部、４  駆動手段、１１  浴槽装置、３１  保持筒体、３２  エアバッグ、３３  受板、３４  突出部材、３４ａ  先端部、３５  バネ、４０  駆動手段、４１  ポンプ、４２  エアチューブ、４３  切替弁、４４  制御部、５０  第一進出部突出量、５１  第二進出部突出量、Ｍ  入浴者、Ｎ  隙間、Ｒ  背筋、Ｗ  湯
【図１】
2008237308.tif 000003
【図２】
2008237308.tif 000004
【図３】
2008237308.tif 000005
【図４】
2008237308.tif 000006
【図５】
2008237308.tif 000007
【図６】
2008237308.tif 000008
【図７】
2008237308.tif 000009